【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
ネットワークを通じて複数の組織からジョブ要求と入札とを受信するステップであり、各ジョブ要求とその対応する入札とは、前記ネットワークを通じてコンピューティング装置においてユーザインタフェースを介して、マルチテナントデータベースシステム内でリソース通貨値を有する組織に関連付けられたユーザによって出される、ステップと、
前記複数の組織に関する保留ジョブに関連付けられるリソース通貨値を特定するステップであり、前記リソース通貨値は、前記保留ジョブに対して専用にされるリソースに対応する、ステップと、
専用にされておらず購入に利用可能なままであるリソースについて、前記の受信した入札のオークションを実行するステップであり、入札は、前記の利用可能なリソースを購入するための購入要求を含む、ステップと、
前記の専用にされたリソースと前記利用可能なリソースの前記オークションとに基づいて、前記ジョブ要求の優先順位をつけるステップと、
前記優先順位をつけられたジョブ要求に基づいて、前記ジョブ要求を処理するステップと、
を含む方法。
【請求項２】
組織の保留ジョブ要求がその関連付けられたリソース通貨値を消費することなく完了した場合、前記優先順位をつけられたジョブ要求に基づいて、前記専用にされたリソースの余剰量を、該組織によって出される追加のジョブ要求に割り当てるステップ、をさらに含む請求項１に記載の方法。
【請求項３】
前記優先順位をつけられたジョブ要求に基づいて、前記複数の組織の第１のサブセットによって出された前記受信した入札のうち１以上について、前記利用可能なリソースのある量を専用にするステップ、をさらに含む請求項１に記載の方法。
【請求項４】
利用可能なリソースの前記量を、前記複数の組織の前記サブセットに、前記利用可能なリソースと組織の前記サブセットの前記利用可能なリソースを購入する能力とに基づいて割り当てるステップであり、前記購入する能力は、組織の前記サブセットによって出された１以上のジョブ要求のサイズ又は１以上の入札の優位性に少なくとも部分的に基づいて特定され、前記優位性は金銭値に基づく、ステップ、をさらに含む請求項３に記載の方法。
【請求項５】
組織の前記サブセットに対する前記利用可能なリソースの前記量の割り当てを、組織の前記サブセットによって出された１以上のジョブ要求のサイズ又は１以上の入札の金銭値に基づいて、組織の前記サブセットの前記利用可能なリソースを購入する能力の不足に起因して拒否するステップ、をさらに含む請求項３に記載の方法。
【請求項６】
前記複数の組織に関連付けられた１以上のオークションサーバの間で前記入札をブロードキャストするステップであり、前記ブロードキャストに応答して前記複数の組織のうち１以上から上等の入札が受信される、ステップ、をさらに含む請求項３に記載の方法。
【請求項７】
前記ユーザインタフェースは、前記コンピューティング装置においてソフトウェアアプリケーションによって提供され、前記ソフトウェアアプリケーションは、ビジネスソフトウェアアプリケーション、ビジネスネットワーキングウェブサイト及びソーシャルネットワーキングウェブサイトのうち１以上を含み、前記コンピューティング装置は、前記ネットワークを通じてサーバコンピューティング装置に結合されるクライアントコンピューティング装置を含む、請求項１に記載の方法。
【請求項８】
命令を記憶するメモリを有するコンピューティング装置と、前記命令を実行する処理装置と、を含み、前記コンピューティング装置は、
ネットワークを通じて複数の組織からジョブ要求と入札とを受信することであって、各ジョブ要求とその対応する入札とは、前記ネットワークを通じてコンピューティング装置においてユーザインタフェースを介して、マルチテナントデータベースシステム内でリソース通貨値を有する組織に関連付けられたユーザによって出され、
前記複数の組織に関する保留ジョブに関連付けられるリソース通貨値を特定することであって、前記リソース通貨値は、前記保留ジョブに対して専用にされるリソースに対応し、
専用にされておらず購入に利用可能なままであるリソースについて、前記の受信した入札のオークションを実行することであって、入札は、前記の利用可能なリソースを購入するための購入要求を含み、
前記の専用にされたリソースと前記利用可能なリソースの前記オークションとに基づいて、前記ジョブ要求の優先順位をつけ、
前記優先順位をつけられたジョブ要求に基づいて、前記ジョブ要求を処理する
メカニズムをさらに有する、
システム。
【請求項９】
前記メカニズムはさらに、組織の保留ジョブ要求がその関連付けられたリソース通貨値を消費することなく完了した場合、前記優先順位をつけられたジョブ要求に基づいて、前記専用にされたリソースの余剰量を、該組織によって出される追加のジョブ要求に割り当てる、請求項８に記載のシステム。
【請求項１０】
前記メカニズムはさらに、前記優先順位をつけられたジョブ要求に基づいて、前記複数の組織の第１のサブセットによって出された前記受信した入札のうち１以上について、前記利用可能なリソースのある量を専用にする、請求項８に記載のシステム。
【請求項１１】
前記メカニズムはさらに、利用可能なリソースの前記量を、前記複数の組織の前記サブセットに、前記利用可能なリソースと組織の前記サブセットの前記利用可能なリソースを購入する能力とに基づいて割り当て、前記購入する能力は、組織の前記サブセットによって出された１以上のジョブ要求のサイズ又は１以上の入札の優位性に少なくとも部分的に基づいて特定され、前記優位性は金銭値に基づく、請求項１０に記載のシステム。
【請求項１２】
前記メカニズムはさらに、組織の前記サブセットに対する前記利用可能なリソースの前記量の割り当てを、組織の前記サブセットによって出された１以上のジョブ要求のサイズ又は１以上の入札の金銭値に基づいて、組織の前記サブセットの前記利用可能なリソースを購入する能力の不足に起因して拒否する、請求項１０に記載のシステム。
【請求項１３】
前記メカニズムはさらに、前記複数の組織に関連付けられた１以上のオークションサーバの間で前記入札をブロードキャストし、前記ブロードキャストに応答して前記複数の組織のうち１以上から上等の入札が受信される、請求項１０に記載のシステム。
【請求項１４】
前記ユーザインタフェースは、前記コンピューティング装置においてソフトウェアアプリケーションによって提供され、前記ソフトウェアアプリケーションは、ビジネスソフトウェアアプリケーション、ビジネスネットワーキングウェブサイト及びソーシャルネットワーキングウェブサイトのうち１以上を含み、前記コンピューティング装置は、前記ネットワークを通じてサーバコンピューティング装置に結合されるクライアントコンピューティング装置を含み、前記ネットワークは、クラウドベースのネットワーク、ローカルエリアネットワーク（ＬＡＮ）、ワイドエリアネットワーク（ＷＡＮ）、メトロポリタンエリアネットワーク（ＭＡＮ）、パーソナルエリアネットワーク（ＰＡＮ）、イントラネット、エクストラネット及びインターネットのうち１以上を含む、請求項８に記載のシステム。
【請求項１５】
命令を記憶させたコンピュータ可読媒体であって、前記命令は、処理装置により実行されるときに、前記処理装置に、請求項１乃至７のうちいずれか１項に記載の方法を実施又は実行させる、コンピュータ可読媒体。